(57)【要約】【課題】相手機の受信能力に合わせてＦＡＸ送信する場合に、少ないメモリ容量で画質劣化を防止し得る通信端末装置を提供する。【解決手段】原稿をセットして、その原稿サイズ（例えばＡ３）を検知し（ＳＴ１）、ＦＡＸ送信を指示して、原稿読み取りを開始する（ＳＴ２、ＳＴ３）。検知原稿サイズがＡ３であると、Ａ３の多値データを基にＡ３の２値データ、Ｂ４の２値データ、Ａ４の２値データをそれぞれ生成して記憶し（ＳＴ４〜ＳＴ７）、一方相手機に発呼してＤＩＳ信号を受信し、相手機の受信能力を判定する（ＳＴ８〜ＳＴ１０）。相手機がＡ３機の場合にＡ３の２値データを選択し、相手機がＢ４機の場合にＢ４の２値データを選択し、相手機がＡ４機の場合にＡ４の２値データを選択して（ＳＴ１０〜ＳＴ１４）、選択した２値データを相手機に送信する（ＳＴ１５）。【選択図】      図２
2004247982.tif 000002
【特許請求の範囲】
【請求項１】
原稿画像を送信時に、画像読み取りした多値データからサイズの異なる複数の２値データを生成して記憶し、相手機の受信能力に基づいて、所定サイズの２値データを選択して送信する手段を備えることを特徴とする通信端末装置。
【請求項２】
画像読み取りした原稿サイズに基づいて、読み取り原稿サイズを縮小して送信する可能性があるか否かを判断する手段を備え、前記可能性があると判断された場合に、前記画像読み取りした多値データからサイズの異なる複数の２値データを生成して記憶し、相手機の受信能力に基づいて、所定サイズの２値データを選択して送信する制御を行うようにしたことを特徴とする請求項１記載の通信端末装置。
【請求項３】
送信履歴として送信画像データを保存する場合、前記複数サイズの２値データのうち、最もサイズの小さい２値データを送信履歴として保存することを特徴とする請求項１又は請求項２記載の通信端末装置。
【発明の詳細な説明】
【０００１】
【発明の属する技術分野】
この発明は、ファクシミリ装置、ファクシミリ機能・コピー機能等の多機能を有する複合機等の通信端末装置に関する。
【０００２】
【従来の技術】
一般に、ファクシミリ装置、複合機等の通信端末装置において、Ａ３サイズ、Ａ４サイズ、Ｂ４サイズ等の原稿を読み取って、そのサイズでＦＡＸ送信するものがある。この種の装置において、Ａ３原稿をＦＡＸ送信する場合において、読み取り（スキャン）して得たＡ３多値データを２値データに変換し、ＦＡＸ前手順で相手機がＢ４機やＡ４機であることを示す信号（ＤＩＳ）を受信したときには、Ａ３の２値データを相手機の受信能力（Ｂ４やＡ４）に合うように縮小して送信する。
【０００３】
また、１枚の原稿につき、２回のスキャンを行い、等倍の多値画像と５０％の多値画像を得、それぞれを２値化して記憶し、送受信側の解像度に応じて２値画像を選択し、受信側のプリンタサイズに応じて変倍するようにした技術が提案されている（例えば、特許文献１参照）。
【０００４】
【特許文献１】
特開平５−２６０２８６号公報
【０００５】
【発明が解決しようとする課題】
従来の装置において、Ａ３機で読み取ったデータを相手機の受信能力（例：Ａ４）に合わせて、ＦＡＸ送信する場合には、Ａ３多値データをＡ３の２値データに変換した後、Ｂ４やＡ４の２値データに変換することになるので、不自然なスジが発生する等、画質が劣化する。そこで、Ａ３多値で蓄積し、相手機の受信能力確認後、必要な場合には、送信直前にＢ４やＡ４の２値に縮小する方法が考えられるが、Ａ３の多値で蓄積するために多くのメモリ容量が必要になる。また、上記特許文献１に記載の技術でも、２回のスキャンが必要であるという問題と、２値化した後、変倍するので、画質が劣化するという同様の問題がある。
【０００６】
この発明は上記問題点に着目してなされたものであって、相手機の受信能力に合わせて原稿画像を送信する場合に、少ないメモリ容量で画質劣化を防止し得る通信端末装置を提供することを目的としている。
【０００７】
【課題を解決するための手段】
この発明の通信端末装置は、原稿画像を送信時に、画像読み取りした多値データからサイズの異なる複数の２値データを生成して記憶し、相手機の受信能力に基づいて、所定サイズの２値データを選択して送信する手段を備えている。
【０００８】
この発明において、画像読み取りした原稿サイズに基づいて、読み取り原稿サイズを縮小して送信する可能性があるか否かを判断する手段を備え、前記可能性があると判断された場合に、前記画像読み取りした多値データからサイズの異なる複数の２値データを生成して記憶し、相手機の受信能力に基づいて、所定サイズの２値データを選択して送信する制御を行うようにすると良い。相手機の受信能力（受信可能なサイズ）として取り得るいずれの選択肢（例えば、Ａ３、Ｂ４、Ａ４）よりも原稿サイズが小さい場合、あるいは、相手機の受信能力として取り得る最小サイズ（例えば、Ａ４）と原稿サイズが等しい場合には、原稿画像を縮小して送信する可能性がないので、読み取り時（相手機の受信能力確認前）に複数サイズの２値データを生成する必要がなく、送信時間の短縮が可能になるとともに、送信時に使用するメモリ容量を削減できる。
【０００９】
また、この発明において、送信履歴として送信画像データを保存する場合、前記複数サイズの２値データのうち、最もサイズの小さい２値データを送信履歴として保存すると良い。
【００１０】
【発明の実施の形態】
以下、実施の形態により、この発明をさらに詳細に説明する。図１は、この発明の画像形成装置の一実施形態である複合機（コピー機能、ファックス機能、読み取り機能等の多機能を有する）の構成を示す。
【００１１】
この実施形態複合機は、ＭＰＵ１と、ＮＣＵ２と、ＭＯＤＥＭ３と、ＲＯＭ４と、ＲＡＭ５と、画像メモリ６と、ＣＣＤラインイメージセンサ７と、画像処理部８と、表示部９と、操作部１０と、ＣＯＤＥＣ１１と、ページメモリ１２と、プリント用画像処理部１３と、プリンタエンジン１４と、ＬＡＮＩ／Ｆ１５と、バス１６とを備えている。
【００１２】
ＭＰＵ１は、ＲＯＭ４に記憶するプログラムによって、この実施形態複合機の全体を制御する機能を有する。このＭＰＵ１には、ＮＣＵ（Ｎｅｔｗｏｒｋ  Ｃｏｎｔｒｏｌ  Ｕｎｉｔ）２、ＭＯＤＥＭ３が接続されている。ＮＣＵ２は、ＭＰＵ１によって制御されて、回線１７と当該複合機との接続を制御するとともに、通信相手の電話番号に応じたダイヤルパルスを送出する機能及び着信を検出する機能を有する。なお、回線１７は、一般公衆回線網（ＰＳＴＮ）に接続されている。
【００１３】
ＭＯＤＥＭ３は、送信データの変調及び受信データの復調、具体的にはデジタル信号である送信データをアナログの音声信号に変調して、ＮＣＵ２を介して回線２２に送出し、また逆に、回線１７からＮＣＵ２を介して、受信したアナログの音声信号をデジタル信号に復調する。ＲＯＭ４は、この複合機全体の動作を制御するためのプログラム等を予め記憶してある。ＲＡＭ５は、ＭＰＵ１による制御に必要なデータ及び制御動作時に一時記憶が必要なデータ等を記憶する。画像メモリ６は、ＣＣＤラインイメージセンサ７で読み取られた多値画像データから複数サイズの２値データに生成された各画像データを記憶する。または外部から回線１７とＭＯＤＥＭ３を介して、受信した画像データを記憶する。
【００１４】
ＣＣＤラインイメージセンサ７は、原稿画像の読み取りを行い、画像データを画像処理部８に入力する。画像処理部８は、入力された画像データをＡ／Ｄ変換、シェーディング補正、ガンマ補正、２値化処理、原稿の黒画素値の算出等の画像処理を行う。
【００１５】
表示部９は、操作部１０の操作により入力された電話番号、ファックス番号、プリンタのトナー残量等の種々の情報を表示する。操作部１０は、スタートキー１０ａ、サイズ変更設定キー１０ｂの他、コピーモード・ファックスモード等のモードを切り換えるモード切換キー、電話番号やファックス番号等の数字を入力するためのテンキー、ワンタッチキー、短縮キー、その他種々の動作を指示するためのキーを有する。サイズ変更設定キー１０ｂは、以下のような第１モードと第２モードとを切り替えるためのキーである。第１モードは、原稿読み取り時、全ての原稿サイズについて、原稿サイズの２値データのみを生成記憶し、相手機の受信能力確認後、必要に応じて、その２値データを相手機の受信能力に合ったサイズの２値データに縮小する制御を行うモードである。第２モードは、原稿読み取り時、相手機の受信能力次第で原稿サイズを縮小して送信する可能性がある場合（相手機が受信可能なサイズが、原稿サイズより小さい可能性がある場合）に、複数サイズの２値データを生成記憶し、相手機の受信能力確認後、所定の２値データを選択して送信する制御を行うモードである。
【００１６】
ＣＯＤＥＣ１１は、読み取った画像データを送信又は記憶するためにＭＨ、ＭＲ、ＭＭＲ方式等により符号化（エンコード）し、プリントすべき画像データを復号（デコード）する。ページメモリ１２は、ＣＣＤラインイメージセンサ７で読み取ったデータを１ページ分記憶する。プリント用画像処理部１３は、プリントすべきデータをプリンタエンジン１４に供給し、プリント処理を実行する。ＬＡＮＩ／Ｆ１５は、ＰＣ（パーソナルコンピュータ）その他のＬＡＮ１８を構成する外部機器に接続され、ここを介して外部機器とのデータ授受を行う。
【００１７】
次に、上記実施形態複合機におけるＦＡＸ送信時の処理動作を図２、図３に示すフロー図を参照して説明する。この実施形態では、送信すべき原稿サイズが自機の送信可能な最大サイズＡ３の場合に特徴ある処理を行う。ステップＳＴ１において、公知の原稿サイズ検知手段により、セットされた原稿サイズを検知する。原稿サイズ検知手段は、原稿サイズがいずれの定型サイズであるか（例えばＡ３、Ｂ４、Ａ４、Ｂ５の別）を検知する。次に、ステップＳＴ２へ移行する。ステップＳＴ２においては、ユーザが操作部１２のスタートキー１２ａを押下することに基づいてＦＡＸ送信指示を行う。続いて、ステップＳＴ３及びステップＳＴ８へ移行する。
【００１８】
ステップＳＴ３においては、ＣＣＤラインイメージセンサ７で原稿読み取りのスキャンを開始する。読み取った多値画像データ（１ページ分）をページメモリ１２に一時的に記憶し、それを基に複数サイズの２値データを生成して、画像メモリ６に記憶する。次に、ステップＳＴ４へ移行する。ステップＳＴ４においては、ステップＳＴ１において検知した原稿サイズがＡ３であるか否かを判定する。Ａ３サイズでない場合は、以後、特別の処理を行うことなく読み取り原稿を相手方に送信する〔通常のＦＡＸ送信を行う：読み取りサイズと同一サイズのみの２値データを生成し、相手機の受信能力（受信可能な最大サイズ）が読み取りサイズと等しいか、大きい場合、その読み取りサイズのまま、２値データを送信し、相手機の受信能力が読み取りサイズより小さい場合には、読み取りサイズの２値データを相手機の受信能力に合わせたサイズに縮小した２値データを生成し、その２値データを送信する〕。一方、Ａ３サイズの場合は、ステップＳＴ５へ移行する。そして、ステップＳＴ５において、ページメモリ１２に記憶したＡ３多値データを基に、Ａ３の２値データを生成し、ステップＳＴ６においてＡ３多値データからＢ４の２値データを、ステップＳＴ７においてＡ３多値データからＡ４の２値データを順次生成する。各２値データは、ＣＯＤＥＣ１１において、ＭＨ、ＭＲ、ＭＭＲ、ＪＢＩＧ等の符号化方式で符号化して記憶する。
【００１９】
一方、ステップＳＴ８においては、宛先に対し、発呼を行う。そして、ステップＳＴ９へ移行する。ステップＳＴ９においては、相手機からのＤＩＳ信号を受信する。次に、ステップＳＴ１０へ移行する。ステップＳＴ１０においては、ＤＩＳ信号より相手機がＡ３機か否かを判定する。相手機がＡ３機であり、Ａ３サイズが受信可能な場合には、ステップＳＴ１１へ移行する。一方、相手機がＡ３機でない場合は、ステップＳＴ１２へ移行する。
【００２０】
ステップＳＴ１１においては、メモリよりＡ３の２値データを選択する。次に、ステップＳＴ１５へ移行し、選択したＡ３の２値データを送信する。このステップＳＴ１５において、相手機の受信能力確認後、予め生成記憶した複数サイズの２値データのうち、相手機が受信可能な最大サイズに相当する定型サイズの２値データを選択して送信する。続いて、ステップＳＴ１６へ移行する。ステップＳＴ１６においては、回線を切断する。そして、ステップＳＴ１７へ移行する。ステップＳＴ１７においては、次の宛先があるか否かを判定する。次の宛先がある場合には、ステップＳＴ８へ戻り、次の宛先に向けて発呼を行う。一方、次の宛先がない場合は、ステップＳＴ１８へ移行する。
【００２１】
ステップＳＴ１８においては、送信画像の保存が必要か否かを判定する。送信画像の保存が必要であれば、ステップＳＴ１９へ移行する。一方、保存が必要でない場合は、ステップＳＴ２０へ移行する。ステップＳＴ１９においては、Ａ３、Ｂ４、Ａ４サイズの２値データのうち、最も小サイズであるＡ４サイズの画像データを保存する。他のサイズＡ３、Ｂ４の２値データは消去する。ステップＳＴ２０においては、Ａ３、Ｂ４、Ａ４サイズの２値データの全てを消去する。ステップＳＴ１９における保存に関し、送信履歴として送信画像を保存する際には、送信履歴情報（送信日時、送信枚数、送信相手先等）に関連付けて保存する。
【００２２】
ステップＳＴ１２においては、ステップＳＴ１０において、相手機がＡ３機でないと判定されたので、ここで相手機がＢ４機であるか否かを判定する。Ｂ４機であれば、ステップＳＴ１３へ移行する。一方、Ｂ４機でなければ（Ａ３機でも、Ｂ４機でもない）、ステップＳＴ１４へ移行する。ステップＳＴ１３においては、メモリよりＢ４の２値データを選択する。次に、ステップＳＴ１５へ移行する。また、ステップＳＴ１４においては、メモリよりＡ４の２値データを選択する。続いて、ステップＳＴ１５へ移行する。
【００２３】
上記図２、図３に示す処理の変形例について説明する。図４に示すように、図２のステップＳＴ４のＢ以降の処理として、ステップＳＴ２１において、原稿サイズがＢ４サイズか否か判定する。原稿サイズがＢ４の場合には、ステップＳＴ２２へ移行する。一方、原稿サイズがＢ４でない場合（Ａ４等の場合）は、ステップＳＴ２４へ移行する。ステップＳＴ２２においては、読み取ったＢ４の多値画像データからＢ４の２値データを生成し、記憶するとともに、次に、ステップＳＴ２３において、読み取ったＢ４の多値データに基づいて、Ａ４の２値データを生成し、記憶する。また、ステップＳＴ２４においては、読み取った原稿サイズの多値データをその原稿サイズのみの２値データを生成し、記憶する。ステップＳＴ５〜ＳＴ７、ＳＴ２２〜ＳＴ２４では、原稿画像の読み取り時、相手機の受信能力確認前に、画像読み取りした多値データから、その読み取りサイズを最大サイズとして、相手機が受信可能な最大サイズとして取り得る可能性がある複数種類の定型サイズの２値データを生成して記憶する。また、ステップＳＴ４において、検知した原稿サイズがＡ３の場合、あるいはステップＳＴ２７において検知した原稿サイズがＢ４の場合のように、相手機の受信能力次第で読み取りサイズを縮小して送信する可能性がある場合（相手機が受信可能な最大サイズが読み取りサイズより小さい可能性がある場合）に、ステップＳＴ５〜ＳＴ７、ＳＴ２２〜ＳＴ２４の２値データの生成、記憶を行う制御を行っている。このように、Ａ３原稿サイズのみならず、Ｂ４サイズについても、多値データを複数の２値データに生成しておけば、例えばＢ４サイズを送信する場合でも、相手機の能力に応じた２値データを選択して送信できる。その場合の処理動作を図５のフロー図を参照して説明する。なお、図４のフロー図は、図２のステップＳＴ１０、ＳＴ１１の処理と置き換えたものである。
【００２４】
ステップＳＴ３１においては、原稿サイズがＡ３か否か判定する。Ａ３サイズの場合は、ステップＳＴ３２へ移行する。一方、Ａ３サイズでない場合は、ステップＳＴ３４へ移行する。ステップＳＴ３２においては、相手機はＡ３機か否か判定する。この処理は、図２におけるステップＳＴ１０と同じなので、これ以降のＳＴ１５までの説明は省略する。ステップＳＴ３４においては、原稿サイズがＢ４か否か判定する。原稿サイズがＢ４の場合は、ステップＳＴ３５へ移行する。一方、原稿サイズがＢ４でない（Ａ３、Ｂ４以外の場合）場合は、ステップＳＴ３７へ移行する。ステップＳＴ３５においては、相手機がＡ３機、あるいはＢ４機か否か判定する。相手機がＢ４機、又はＡ３機の場合、ステップＳＴ３６へ移行する。一方、相手機がＡ３機又はＢ４機でない場合（Ａ４機の場合）は、ステップＳＴ３７へ移行する。ステップＳＴ３６においては、生成記憶してあるＢ４及びＡ４の２値のうち、Ｂ４の２値を選択する。ステップＳＴ３７においては、生成記憶してあるＢ４及びＡ４の２値のうち、Ａ４の２値を選択する。ステップＳＴ３４でＮＯの場合（原稿サイズがＡ３でもＢ４でもない場合）には、読み取り時に原稿サイズの２値しか生成記憶していないので、ステップＳＴ３８においては、生成記憶してある原稿サイズの２値を選択する。
【００２５】
なお、上記実施形態において、Ａ３原稿（あるいはＢ４原稿）を送信する場合に、複数のつまりＡ３、Ｂ４、Ａ４の２値データ（あるいはＢ４、Ａ４の２値データ）を生成しておき、相手機の受信能力に応じて、Ａ３サイズ、Ｂ４サイズ、Ａ４サイズのいずれかの２値データ（あるいはＢ４サイズ、Ａ４サイズのいずれかの２値データ）を選択して、送信するように制御しているが、操作部のサイズ変更設定キーにより、サイズ変更モードが設定されていない（あるいは行わない旨が設定されている）場合、Ａ３原稿（あるいはＢ４原稿）を送信する場合でも、他のサイズの原稿を送信する場合と同様に、Ａ３の２値データ（あるいはＢ４の２値データ）を生成した後、相手機の受信能力に応じて、Ａ３の２値データ（あるいはＢ４の２値データ）からＢ４やＡ４の２値データ（あるいはＡ４の２値データ）を生成して、送信するようにしても良い。
【００２６】
また、その変形例として、画像メモリの残量に基づいて、予め複数サイズの２値データを生成記憶しておき、相手機の受信能力に基づいて、いずれの２値データ（生成記憶している複数サイズのうち、相手機が受信可能な最大サイズの２値データ）を選択して、送信する制御を実行するか否かが自動的に選択されるようにしても良い。すなわち、Ａ３原稿のＦＡＸ送信時に、画像メモリの残量を確認し、所定値以上の残量があれば、Ａ３、Ｂ４、Ａ４の２値データを生成し、受信メモリに所定値の残量がなければ、上記制御を実行しない（Ａ３の２値データのみを生成する）ようにしても良い。
【００２７】
今、Ａ３の多値画像データとして、２００×２００ｄｐｉの３ｂｉｔ（８階調）データを想定すると２３１４Ｍのビット数となる。これをＡ３の２値データとすると７７１Ｍのビット数となり、更にＢ４の２値データとすると５９７Ｍのビット数、Ａ４の２値データとすると３８８Ｍのビット数となり、Ａ３とＢ４とＡ４の２値データを合算しても１７３８Ｍであり、Ａ３の多値データの２３１４Ｍより、はるかに小さい値である。そのため、Ａ３の多値データを記憶しておいて、２値化データに変換して送信するよりも、上記実施形態のように、Ａ３多値データから複数のサイズのＡ３、Ｂ４、Ａ４の２値データを生成し、これらを記憶しておく方がメモリ容量が少なくて良い。
【００２８】
【発明の効果】
請求項１に係る発明によれば、ＦＡＸ送信時に、画像読み取りした多値データからサイズの異なる複数の２値データを生成して記憶し、相手機の受信能力に基づいて、所定サイズの２値データを選択して送信するので、相手機の受信能力に応じたデータが送信され、画質を劣化させることがなく、また、サイズの異なる複数のデータを２値で記憶しているので、少ないメモリ容量で良い。
【００２９】
請求項２に係る発明によれば、読み取り原稿サイズを縮小して送信する可能性があるか否かを判断し、縮小して送信する可能性がある場合に、読み取り多値データから複数の異なる２値データを生成記憶するとともに、相手機の受信能力に基づいて、所定サイズの２値データを選択する制御を行うので、それ以外の、すなわち読み取り原稿サイズを縮小して送信する可能性がない場合には、その制御を行わないことにより、送信時間の短縮が可能になるとともに、送信時に使用するメモリ容量を削減できる。
【００３０】
請求項３に係る発明によれば、送信履歴として送信画像データを保存する場合、前記複数サイズの２値データのうち、最もサイズの小さい２値データを送信履歴として保存するので、他のサイズの２値データは消去されるので、必要とするメモリ容量を軽減できる。
【図面の簡単な説明】
【図１】この発明の通信端末装置の一実施形態である複合機の構成を示すブロック図である。
【図２】同実施形態複合機のＦＡＸ送信時の処理を説明するためのフロー図である。
【図３】図２とともに、同実施形態複合機のＦＡＸ送信時の処理を説明するためのフロー図である。
【図４】図２、図３に示すフロー図の変形処理例を説明するためのフロー図である。
【図５】図４とともに、図２、図３に示すフロー図の変形処理例を説明するためのフロー図である。
【符号の説明】
１          ＭＰＵ
２          ＮＣＵ
３          ＭＯＤＥＭ
４          ＲＯＭ
５          ＲＡＭ
６          画像メモリ
７          ＣＣＤラインイメージセンサ
８          画像処理部
９          表示部
１０        操作部
１０ａ      スタートキー
１０ｂ      サイズ変更設定キー
１１        ＣＯＤＥＣ
１２        ページメモリ
１３        プリント用画像処理回路
１４        プリンタエンジン
１５        ＬＡＮＩ／Ｆ
１６        バス
１７        公衆電話回線
１８        ＬＡＮ
【図１】
2004247982.tif 000003
【図２】
2004247982.tif 000004
【図３】
2004247982.tif 000005
【図４】
2004247982.tif 000006
【図５】
2004247982.tif 000007